(57)【要約】      （修正有）【課題】押しキースイッチの中部発光を実現でき、発光効果が優れる中間発光の押しキースイッチを提供する。【解決手段】中間発光の押しキースイッチは、ＰＣＢ基板１、ベース台２及びカバー３を含む。ベース台とカバーとの間には、ガイドコア４が設置される。ベース台の底部かつガイドコアの下方には、貫通孔が開設される。ガイドコアの下端面には、導光溝が開設される。ＰＣＢ基板上には、上端が貫通孔からベース台に挿入されて導光溝内に嵌め込まれる発光素子７が設置される。発光素子は、下から上へ中部がベース台内に嵌め込まれるようになる。光線は、中部からガイドコアを通して上に向けて外部へ拡散することで、押しキーの中部に発光する効果を実現する。【選択図】図１
0003228178.tif 000002
【実用新案登録請求の範囲】
【請求項１】
ＰＣＢ基板、ＰＣＢ基板１上に設置されるベース台及び、ベース台上に被せられるカバーを含み、前記ベース台とカバーとの間にガイドコアが設置される中間発光の押しキースイッチであって、
前記ベース台の底部かつガイドコアの下方には、貫通孔が開設され、
前記ガイドコアの下端面には、導光溝が開設され、
前記ＰＣＢ基板上には、上端が貫通孔からベース台内に挿入されて導光溝内に嵌め込まれる発光素子が設置され、
発光素子は、下から上へ中部がベース台内に嵌め込まれるようになり、
光線は、中部からガイドコアを通して上に向けて外部へ拡散することで、押しキーの中部に発光する効果を実現することを特徴とする中間発光の押しキースイッチ。
【請求項２】
前記カバーは、ベース台に嵌合して収容室を形成し、
前記収容室内には、ガイドコアの側辺に位置する導通モジュールと、ガイドコアの下方に位置するバネとがそれぞれ設置され、
前記カバーの上端には、ガイドコアの上端の上下動のための上開口が開設され、
前記貫通孔の縁部から、ガイドピンが上向きに突設され、
前記バネの上端は、導光溝内に嵌め込まれ、その下端は、ガイドピンの外周に外嵌されることを特徴とする請求項１に記載の中間発光の押しキースイッチ。
【請求項３】
前記発光素子はＬＥＤライトであることを特徴とする請求項１に記載の中間発光の押しキースイッチ。
【請求項４】
前記ベース台上かつガイドピンの周囲は、リング溝を有し、
前記ベース台上かつリング溝の一方側は、導通モジュールが挿入されるための導通モジュール挿入溝を有し、
前記導通モジュール挿入溝の内側壁には、第１側開口が開設されることを特徴とする請求項２に記載の中間発光の押しキースイッチ。
【請求項５】
前記ガイドコアの側辺には、押えブロックが設置され、
前記押えブロックの上端は、退避傾斜面を有し、
前記導通モジュールは、導通モジュール挿入溝内に挿着されて対向して設置される固定片及び可動バネを含み、
前記固定片の側辺には、固定接触点が設置され、
前記可動バネには、固定接触点に対応する可動接触点が設置され、
前記可動バネの側辺には、第１側開口に向けて延びて押えブロックに対応する突起が設置され、
ガイドコアが上下動する過程において、ガイドコアの側辺の押えブロックは、可動バネの突起を押して、可動バネの側辺の可動接触点と固定片の側辺の固定接触点とを離接させることで、押しキースイッチのオンオフ機能を果たすことを特徴とする請求項２に記載の中間発光の押しキースイッチ。
【請求項６】
前記ベース台上かつガイドコアの側辺には、トーションバネが設置され、
前記ベース台上かつリング溝の他方側は、トーションバネが挿入されるためのトーションバネ挿入溝を有し、
前記トーションバネ挿入溝の内側壁には、第２側開口が開設され、
前記トーションバネの一端は、第２側開口の側辺まで延び、
前記ガイドコアの他方側には、第２側開口内に上下動する弾性ブロックが設置され、
ガイドコアが上下動する過程において、ガイドコアの側辺の弾性ブロックはトーションバネを振動させ続けて音声を発生することを特徴とする請求項２に記載の中間発光の押しキースイッチ。
【請求項７】
前記ガイドコアの対向する両側辺には、いずれもガイド軸が設置され、
前記ベース台内かつガイドピンの側辺には、ガイド軸が上下動して挿入されるためのガイド孔が開設されることを特徴とする請求項２に記載の中間発光の押しキースイッチ。
【請求項８】
前記カバーの対向する両側辺には、いずれもガイドブロックが下向きに延びて設置され、
前記ガイドブロックの内側辺には、ガイド軸の上下動のための側可動溝が開設されることを特徴とする請求項７に記載の中間発光の押しキースイッチ。
【請求項９】
前記ガイドコアは、第１ガイドコア本体と、第１ガイドコア本体の上端面に設置される第１十字押圧軸とを含むことを特徴とする請求項１〜８のいずれか一項に記載の中間発光の押しキースイッチ。
【請求項１０】
前記ガイドコアは、第２ガイドコア本体と、第２ガイドコア本体上に設置される第２十字押圧軸とを含み、
前記第２ガイドコア本体の上端には、取付溝が開設され、
前記第２十字押圧軸は、取付溝内に設置され、
前記第２十字押圧軸の上端面は、取付溝の上端と面一状になることを特徴とする請求項１〜８のいずれか一項に記載の中間発光の押しキースイッチ。
【考案の詳細な説明】
【技術分野】
【０００１】
本考案は、押しキースイッチに関し、特に、中間発光の押しキースイッチに関する。
【背景技術】
【０００２】
発光押しキースイッチとは、押しキースイッチ内に発光構造が設置されて押しキースイッチを照らすものである。従来の発光押しキースイッチでは、通常、スイッチの内部に突出する発光素子（例えば、発光ダイオード）が回路基板上にそのまま設置されることで発光効果を奏する。通常の押しキースイッチの中部構造は、ガイドコアの上下動のためのガイド作用力を与えるために設置される。このため、一般の発光押しキースイッチにおいて、通常、発光素子を押しキースイッチの内部の側辺に嵌め込むことで、押しキースイッチが発光効果を得る。しかしながら、押しキースイッチの内部構造の設計により光線を遮断することになり、光線が押しキースイッチの中部及び外部までよく拡散できなかったら、縁部のみで発光して中部で発光しなかったりするので、押しキースイッチ全体の発光効果はよくない。
【考案の概要】
【考案が解決しようとする課題】
【０００３】
本考案の目的は、上記の問題を鑑みてなされたものであり、押しキースイッチの中部発光効果を実現し、発光効果が優れる中間発光の押しキースイッチを提供することである。
【課題を解決するための手段】
【０００４】
本考案が採用する技術方案は以下の通りである。すなわち、中間発光の押しキースイッチは、ＰＣＢ基板、ＰＣＢ基板１上に設置されるベース台及び、ベース台上に被せられるカバーを含む。前記カバーは、ベース台に嵌合して収容室を形成する。前記収容室内には、ガイドコア、ガイドコアの側辺に位置する導通モジュール、及びガイドコアの下方に位置するバネがそれぞれ設置される。前記カバーの上端には、ガイドコアの上端の上下動のための上開口が開設される。前記ベース台の底部には、貫通孔が開設される。前記貫通孔の縁部から、ガイドピンが上向きに突設される。前記バネの下端は、ガイドピンの外周に外嵌される。前記ＰＣＢ基板上には、上端が貫通孔からベース台内に挿入される発光素子が設置される。発光素子は、下から上へ中部がベース台内に嵌め込まれるようになる。光線は、中部からガイドコアを通して上に向けて外部へ拡散することで、押しキーの中部に発光する効果を実現する。
【０００５】
本考案に対するさらなる改良として、前記発光素子はＬＥＤライトである。
【０００６】
本考案に対するさらなる改良として、前記ガイドコアの下端面には、バネの上端が嵌め込まれるための導光溝が開設される。
【０００７】
本考案に対するさらなる改良として、前記ベース台上かつガイドピンの周囲は、リング溝を有する。前記ベース台上かつリング溝の一方側は、導通モジュールが挿入されるための導通モジュール挿入溝を有する。前記導通モジュール挿入溝の内側壁には、第１側開口が開設される。
【０００８】
本考案に対するさらなる改良として、前記ガイドコアの側辺には、押えブロックが設置される。前記押えブロックの上端は、退避傾斜面を有する。前記導通モジュールは、導通モジュール挿入溝内に挿着されて対向して設置される固定片及び可動バネを含む。また、前記固定片の側辺には、固定接触点が設置される。前記可動バネには、固定接触点に対応する可動接触点が設置される。前記可動バネの側辺には、第１側開口に向けて延びて押えブロックに対応する突起が設置される。ガイドコアが上下動する過程において、ガイドコアの側辺の押えブロックは、可動バネの突起を押して、可動バネの側辺の可動接触点と固定片の側辺の固定接触点とを離接させることで、押しキースイッチのオンオフ機能を果たす。
【０００９】
本考案に対するさらなる改良として、前記ベース台上かつガイドコアの側辺には、トーションバネが設置される。前記ベース台上かつリング溝の他方側は、トーションバネが挿入されるためのトーションバネ挿入溝を有する。前記トーションバネ挿入溝の内側壁には、第２側開口が開設される。前記トーションバネの一端は、第２側開口の側辺まで延びる。前記ガイドコアの他方側には、第２側開口内に上下動する弾性ブロックが設置される。ガイドコアが上下動する過程において、ガイドコアの側辺の弾性ブロックはトーションバネを振動させ続けて音声を発生する。
【００１０】
本考案に対するさらなる改良として、前記ガイドコアの対向する両側辺には、いずれもガイド軸が設置される。前記ベース台内かつガイドピンの側辺には、ガイド軸が上下動して挿入されるためのガイド孔が開設される。
【００１１】
本考案に対するさらなる改良として、前記カバーの対向する両側辺には、いずれもガイドブロックが下向きに延びて設置される。前記ガイドブロックの内側辺には、ガイド軸の上下動のための側可動溝が開設される。
【００１２】
本考案に対するさらなる改良として、前記ガイドコアは、第１ガイドコア本体と、第１ガイドコア本体の上端面に設置される第１十字押圧軸とを含む。
【００１３】
本考案に対するさらなる改良として、前記ガイドコアは、第２ガイドコア本体と、第２ガイドコア本体上に設置される第２十字押圧軸とを含む。また、前記第２ガイドコア本体の上端には、取付溝が開設される。前記第２十字押圧軸は、取付溝内に設置される。前記第２十字押圧軸の上端面は、取付溝の上端と面一状になる。
【考案の効果】
【００１４】
本考案は以下の顕著な効果を奏する。
（１）押しキースイッチ内において下から上へ中部に発光素子を嵌め込み、光線を中部からガイドコアを通して拡散させることで、発光効果を奏し、押しキースイッチの中部に発光する目的を実現し、発光効果が優れる。
【００１５】
（２）ガイドコアの側辺のガイド軸、ベース台内のガイド孔及びカバーの側辺のガイドブロックに嵌合してガイド構造を形成することで、ガイドコアの上下動をガイドし、ガイドコアの鉛直方向に沿う上下動を保証し、構造の可動精度が高くて、押しキースイッチのオンオフの精度を向上させる。
【００１６】
上述したのは本考案の技術方案の概要であり、以下、図面及び具体的な実施形態を参照しながら、本考案について詳しく説明する。
【図面の簡単な説明】
【００１７】
【図１】本考案の分解斜視図である。
【図２】本考案のベース台の構造を示す図である。
【図３】本考案のガイドコアをＬＥＤライトに嵌合した構造を示す図である。
【図４】本考案のガイドコアの一構造を示す図である。
【図５】本考案のベース台をＬＥＤライトに嵌合した構造を示す図である。
【図６】本考案の一部の構造を示す図である。
【図７】本考案の他の一部の構造を示す図である。
【図８】本考案のカバーの構造を示す図である。
【図９】本考案のガイドコアの他の構造を示す図である。
【考案を実施するための形態】
【００１８】
以下、本考案が所定の目的を達するために用いられる技術構成及び効果をより明確にするために、図面及び好適な実施例を参照しながら、本考案の具体的な実施形態について詳しく説明する。
【００１９】
図１〜図９を参照する。本考案の実施例に係る中間発光の押しキースイッチは、ＰＣＢ基板１、ＰＣＢ基板１上に設置されるベース台２、及びベース台２上に被せられるカバー３を含む、前記カバー３は、ベース台２に嵌合して収容室を形成する。前記収容室内には、ガイドコア４と、ガイドコア４の側辺に位置する導通モジュール５と、ガイドコア４の下方に位置するバネ６とがそれぞれ設置される。前記カバー３の上端には、ガイドコア４の上端の上下動のための上開口３１が開設される。前記ベース台２の底部には、貫通孔２１が開設される。前記貫通孔２１の縁部から、ガイドピン２２が上向きに突設される。前記バネ６の下端は、ガイドピン２２の外周に外嵌される。前記ＰＣＢ基板１上には、上端が貫通孔２１からベース台２内に挿入する発光素子７が設置される。本実施例では、前記発光素子はＬＥＤライトである。
【００２０】
図３に示すように、前記ガイドコア４の下端面には、バネ６の上端が嵌め込まれるための導光溝４１が開設される。発光素子７は、底部からベース台２の貫通孔２１内に挿入されてバネ６の内側内に延びる。ガイドコア４が下方へ移動してバネを圧縮すると、発光素子７の上部は、ガイドコア４の下端面の導光溝４１内に嵌め込まれることが可能であるため、発光素子７の破損を防ぎ、優れた発光効果を保持する。
【００２１】
図２に示すように、前記ベース台２上かつガイドピン２２の周囲は、リング溝２３を有する。前記ベース台２上かつリング溝２３の一方側は、導通モジュール５が挿入されるための導通モジュール挿入溝２４を有する。前記導通モジュール挿入溝２４の内側壁には、第１側開口２４１が開設される。
【００２２】
図１、図４、図５及び図６に示すように、前記ガイドコア４の一側辺には、押えブロック４２が設置される。前記押えブロック４２の上端は、退避傾斜面４２１を有する。前記導通モジュール５は、導通モジュール挿入溝２４内に挿着されて対向して設置される固定片５１及び可動バネ５２を含む。また、前記固定片５１の側辺には、固定接触点が設置される。前記可動バネ５２には、固定接触点に対応する可動接触点が設置される。前記可動バネ５２の側辺には、第１側開口２４１に向けて延びて押えブロック４２に対応する突起５２１が設置される。ガイドコア４が上下動する過程において、ガイドコア４の側辺の押えブロック４２は、可動バネ５２の突起５２１を押して、可動バネ５２の可動接触点と固定片５１の側辺の固定接触点とを離接させて押しキースイッチのオンオフ機能を果たす。
【００２３】
図１、図２、図５及び図７に示すように、前記ベース台２上かつガイドコア４の側辺には、トーションバネ８が設置される。  前記ベース台２上かつリング溝２３の他方側には、トーションバネ８が挿入されるためのトーションバネ挿入溝２５が設けられる。前記トーションバネ挿入溝２５の内側壁には、第２側開口２５１が開設される。前記トーションバネ８の一端は、第２側開口２５１の側辺まで延びる。前記ガイドコア４の他方側には、第２側開口２５１内に上下動する弾性ブロック４３が設置される。ガイドコア４が上下動する過程において、ガイドコア４の側辺の弾性ブロック４３はトーションバネ８を振動させて音声を発生し、これにより、押しキースイッチが音声を発生する効果を得て感触を向上させる。
【００２４】
図３〜図７に示すように、前記ガイドコア４の対向する両側辺には、いずれもガイド軸４４が設置される。前記ベース台２内かつガイドピン２２の側辺には、ガイド軸４４が上下動して挿入されるためのガイド孔２６が開設される。また、図８に示すように、前記カバー３の対向する両側辺から、いずれもガイドブロック３２が下向きに延びて設置される。前記ガイドブロック３２の内側辺には、ガイド軸４４の上下動のための側可動溝３２１が開設される。ガイドコア４の側辺のガイド軸４４、ベース台２内のガイド孔２６及びカバー３の側辺のガイドブロック３２を嵌合してガイド構造を形成することで、ガイドコア４の上下動をガイドし、ガイドコア４の鉛直方向に沿う上下動を保証し、これにより、押圧によって押しキースイッチを正常にオンオフすることができる。
【００２５】
本実施例では、ガイドコア４は２種類の構造を有する。図４は、ガイドコア４の第１種の構造を示す。前記ガイドコア４は、第１ガイドコア本体４５と、第１ガイドコア本体４５の上端面に設置される第１十字押圧軸４６とを含む。
【００２６】
図９は、ガイドコア４の第２種の構造を示す。前記ガイドコア４は、第２ガイドコア本体４５’と、第２ガイドコア本体４５’上に設置される第２十字押圧軸４６’とを含む。また、前記第２ガイドコア本体４５’の上端には、取付溝４５１’が開設される。前記第２十字押圧軸４６’は、取付溝４５１’内に設置される。前記第２十字押圧軸４６’の上端面は、取付溝４５１’の上端面と面一状になる。
【００２７】
自然に押圧されていない状態の押しキースイッチでは、ガイドコア４の側辺の押えブロック４２は、可動バネ５２の突起５２１を外へ押すことで、可動バネ５２の可動接触点を固定片５１の側辺の固定接触点から分離させ、押しキースイッチをオフ状態にする。動作時、ガイドコア４を下方に押圧して下方へ移動させ、バネ６を圧縮するとともに、ガイドコア４の側辺の押えブロック４２を可動バネ５２の側辺の突起５２１から離脱させることで、突起５２１を退避傾斜面４２１の上方の空間内に進入させると、可動バネ５２を復帰させ、これにより、可動バネ５２の可動接触点を固定片５１の側辺の固定接触点に接触させ、押しキースイッチをオン状態にする。ガイドコア４への押圧が解除されると、バネ６の弾性復帰力によってガイドコア４を復帰させて押しキースイッチのオフを実現する。この過程において、ＬＥＤライトが発光し、光線が中部からガイドコア４を通して上方へ拡散して発光効果を奏する。また、ガイドコア４の側辺の弾性ブロック４３は、トーションバネ８を振動させて音声を発生し、感触を向上させる。
【００２８】
本考案の主な特徴は、以下の通りである。
（１）押しキースイッチ内において下から上へ中部に発光素子を嵌め込み、光線を中部からガイドコアを通して拡散させることで、発光効果を奏し、押しキースイッチの中部に発光する目的を実現し、発光効果が優れる。
（２）ガイドコアの側辺のガイド軸、ベース台内のガイド孔及びカバーの側辺のガイドブロックに嵌合してガイド構造を形成することで、ガイドコアの上下動をガイドし、ガイドコアの鉛直方向に沿う上下動を保証し、構造の動作精度が高いので、押しキースイッチのオンオフの精度を向上させる。
【００２９】
本考案の好適な実施形態を前述の通り開示したが、これらは決して本考案の技術範囲を限定するものではない。このため、本考案の上述した実施例と同じまたは類似の技術的特徴を用いて得られた他の構造は、いずれも本考案の保護範囲内に属するものである。
【図１】
0003228178.tif 000003
【図２】
0003228178.tif 000004
【図３】
0003228178.tif 000005
【図４】
0003228178.tif 000006
【図５】
0003228178.tif 000007
【図６】
0003228178.tif 000008
【図７】
0003228178.tif 000009
【図８】
0003228178.tif 000010
【図９】
0003228178.tif 000011